(57)【要約】【課題】特定の利用者を対象とした機械式駐車場において、登録されている利用者および車両のみを受け入れるようにして、トラブルを未然に防ぐことができる利用者管理システムを提供する。【解決手段】入庫車両のナンバーを撮像および認識するナンバー撮像認識手段と、撮像および認識されたナンバーに対して、予め作成された登録車両ナンバーデータベースを検索し、登録された車両ナンバーと照合する車両ナンバー検索照合手段と、利用者の指紋を入力および認識する指紋入力認識手段と、入力および認識された指紋に対して、予め作成された利用者の登録指紋データベースを検索し、登録された指紋と照合する指紋検索照合手段と、前記車両ナンバー検索照合手段および前記指紋検索照合手段による照合結果に基づいて、操作盤の起動可否を判定する判定手段とを備えたことを特徴とする機械式駐車場の利用者管理システムである。【選択図】          図１
2004300745.tif 000002
【特許請求の範囲】
【請求項１】
機械式駐車場の利用者の指紋を入力および認識する指紋入力認識手段と、該指紋入力認識手段で入力および認識された指紋に対して、予め作成された前記機械式駐車場の利用者の登録指紋データベースを検索し、該データベースに登録された指紋と照合する指紋検索照合手段と、該指紋検索照合手段による照合結果に基づいて、前記機械式駐車場の操作盤の起動可否を判定する判定手段とを備えたことを特徴とする機械式駐車場の利用者管理システム。
【請求項２】
機械式駐車場に入庫する車両のナンバーを撮像および認識するナンバー撮像認識手段と、該ナンバー撮像認識手段で撮像および認識されたナンバーに対して、予め作成された前記機械式駐車場の登録車両ナンバーデータベースを検索し、該データベースに登録された車両ナンバーと照合する車両ナンバー検索照合手段と、前記機械式駐車場の利用者の指紋を入力および認識する指紋入力認識手段と、該指紋入力認識手段で入力および認識された指紋に対して、予め作成された前記機械式駐車場の利用者の登録指紋データベースを検索し、該データベースに登録された指紋と照合する指紋検索照合手段と、前記車両ナンバー検索照合手段および前記指紋検索照合手段による照合結果に基づいて、前記機械式駐車場の操作盤の起動可否を判定する判定手段とを備えたことを特徴とする機械式駐車場の利用者管理システム。
【発明の詳細な説明】
【０００１】
【発明の属する技術分野】
本発明は、特定の利用者を対象とした機械式駐車場の利用者管理システムに関する。
【０００２】
【従来の技術】
例えばマンションやオフィスビル等に併設される機械式駐車場のように、特定の利用者を対象とした機械式駐車場では、各利用者が機械の操作方法に関する教育を受け、利用者自身が機械の操作を行って車両の入出庫を行うケースがある。
【０００３】
この場合、教育を受けて認定された利用者には、事前にパスカードや暗証番号等を発行する。各利用者は、図３の装置構成図および図４の動作フロー図に示すように、機械式駐車場の入出庫口に設置された操作盤４に付設された入力装置４ａにパスカードの挿入あるいは暗証番号の入力等を行うことによってはじめて操作盤４による機械の操作が可能になる。
【０００４】
一方、本発明の属する技術分野における関連技術としては、次のような例が挙げられる。
▲１▼  特許文献１には、入庫時に車両のプレートナンバーを読み取るプレートナンバー読み取り手段を備え、出庫時に自分の車両が搬送されていることを容易に認識することができる駐車場用エレベータの表示装置が開示されている。
▲２▼  特許文献２には、撮像し、認識された自動車ナンバーと駐車券ナンバーに基づいて、自動車の入出庫、とりわけ出庫動作を迅速に行えるようにする駐車場管理システムが開示されている。
▲３▼  特許文献３には、駐車場の入口に設置され、入庫する車両のナンバーを認識するナンバー認識手段等を備え、入庫車両および出庫車両が集中する出入口における混雑が解消されるように改良した駐車場の管理装置が開示されている。
【０００５】
【特許文献１】
特開平８−２８４４５４号公報
【０００６】
【特許文献２】
特開平９−３１９９９４号公報
【０００７】
【特許文献３】
特許第３０００９０６号公報
【０００８】
【発明が解決しようとする課題】
しかしながら、上述のような従来の方式では、本来の利用者が部外者にパスカードを貸したり、暗証番号を教えたりした結果、入出庫操作に関する教育を受けていない者が機械の操作を行って誤操作を招くことや、本来の契約車両以外の車両を入庫させてしまうことなどのトラブルが起こりがちであった。
【０００９】
また、前記の特許文献１〜３は、いずれも上述のような問題点の解決を図ろうとするものではない。
【００１０】
本発明は、上記のような点に鑑みなされたもので、特定の利用者を対象とした機械式駐車場において、登録されている利用者および車両のみを受け入れるようにして、トラブルを未然に防ぐことができる利用者管理システムを提供することを目的としている。
【００１１】
【課題を解決するための手段】
このような目的を達成するため、本発明は次のような構成を有する。
［１］機械式駐車場の利用者の指紋を入力および認識する指紋入力認識手段と、該指紋入力認識手段で入力および認識された指紋に対して、予め作成された前記機械式駐車場の利用者の登録指紋データベースを検索し、該データベースに登録された指紋と照合する指紋検索照合手段と、該指紋検索照合手段による照合結果に基づいて、前記機械式駐車場の操作盤の起動可否を判定する判定手段とを備えたことを特徴とする機械式駐車場の利用者管理システム。
［２］機械式駐車場に入庫する車両のナンバーを撮像および認識するナンバー撮像認識手段と、該ナンバー撮像認識手段で撮像および認識されたナンバーに対して、予め作成された前記機械式駐車場の登録車両ナンバーデータベースを検索し、該データベースに登録された車両ナンバーと照合する車両ナンバー検索照合手段と、前記機械式駐車場の利用者の指紋を入力および認識する指紋入力認識手段と、該指紋入力認識手段で入力および認識された指紋に対して、予め作成された前記機械式駐車場の利用者の登録指紋データベースを検索し、該データベースに登録された指紋と照合する指紋検索照合手段と、前記車両ナンバー検索照合手段および前記指紋検索照合手段による照合結果に基づいて、前記機械式駐車場の操作盤の起動可否を判定する判定手段とを備えたことを特徴とする機械式駐車場の利用者管理システム。
【００１２】
【発明の実施の形態】
以下、本発明の実施形態を図面に基づいて説明する。
【００１３】
図１は、本発明による機械式駐車場の利用者管理システムが適用される機械式駐車場の入出庫口の一実施形態を示す平面図である。
【００１４】
入庫バース１には、入庫車両の所定の停止位置１ａが設定されており、その前方または後方には車両のナンバー読み取り装置６が設置されている。また、停止位置１ａの付近には、利用者の指紋入力装置５および操作盤４が設けられている。
【００１５】
一方、昇降リフト２には、入庫車両の所定の停止位置２ａが設定されており、入庫バース１と昇降リフト２との間には、仕切りの開閉式ゲート３が設けられている。
【００１６】
パレット方式の機械式駐車場の場合には、車両を搭載したパレットが上述の入庫バース内車両停止位置１ａと昇降リフト内車両停止位置２ａとの間を移動して車両の移載を行う。
【００１７】
次に、本発明の一実施形態の作用を説明する。
【００１８】
図２は、本発明による機械式駐車場の利用者管理システムの動作フロー図である。
【００１９】
機械式駐車場の利用者は、まず入庫バース１内の所定の停止位置１ａに車両を停止させる。この時、車両の前方または後方のナンバープレートがナンバー読み取り装置６により撮像および認識される。このナンバー読み取り装置６は、ＣＣＤカメラ等からなるナンバー撮像認識手段である。このようにして車両ナンバーが撮像および認識されると、システムに組み込まれたパソコン等からなる車両ナンバー検索照合手段により、この機械式駐車場の登録車両ナンバーデータベースが検索され、このデータベースに登録されている利用者の契約車両ナンバーと照合される。
【００２０】
一方、利用者は、入庫バース１内に設けられた指紋入力装置５に指紋を入力する。この指紋入力装置５は、画像処理装置等からなる指紋入力認識手段である。このようにして指紋が入力および認識されると、システムに組み込まれたパソコン等からなる指紋検索照合手段により、この機械式駐車場の登録指紋データベースが検索され、このデータベースに登録されている入出庫操作に関する教育を受けて認定された特定の利用者の指紋と照合される。
【００２１】
上述の照合の結果、この機械式駐車場に入庫しようとする車両のナンバーが本システムの登録車両ナンバーデータベースに存在し、この機械式駐車場を利用しようとする者の指紋が本システムの登録指紋データベースに存在することが確認されると、本システムに組み込まれている判定手段により、利用者が入庫操作を行うために入庫バース１内に設けられている操作盤４の起動が可能な状態となる。
【００２２】
この後、利用者が上記の操作盤４を起動して所定の操作を行うと、車両の入庫が自動的に行われる。即ち、入庫口のゲート３が開いて、車両が入庫バース内停止位置１ａから昇降リフト内停止位置２ａまでパレット等により移載された後、ゲート３が閉まり、以降機械式駐車場の内部において所定の駐車室までの搬送が行われる。
【００２３】
以上では車両の入庫について述べたが、車両の出庫についても特定の利用者のみが操作可能なように、利用者の指紋を確認してからでないと操作ができない点は同様である。
【００２４】
【発明の効果】
以上に述べた本発明によれば、特定の利用者を対象とした機械式駐車場において、特定の利用者以外の、機械操作に関する教育を受けていない者は、操作を行えないので、操作ミスによるトラブルが低減できるとともに、本来の契約車以外の車両を入庫させようとして起こるトラブルも回避できる。
【図面の簡単な説明】
【図１】本発明の一実施形態を示す平面図
【図２】本発明の一実施形態を示す動作フロー図
【図３】従来技術の装置構成を示す平面図
【図４】従来技術の動作フロー図
【符号の説明】
１      入庫バース
１ａ    入庫バース内車両停止位置
２      昇降リフト
２ａ    昇降リフト内車両停止位置
３      ゲート
４      操作盤
５      指紋入力装置
６      ナンバー読み取り装置
【図１】
2004300745.tif 000003
【図２】
2004300745.tif 000004
【図３】
2004300745.tif 000005
【図４】
2004300745.tif 000006